【事件の表示】
　特許第３２０２３５７号「像形成装置」の請求項１ないし９に係る特許に対する特許異議の申立てについて、次のとおり決定する。
【結　論】
　訂正を認める。
　特許第３２０２３５７号の請求項１ないし５に係る特許を取り消す。
【理　由】
【1】  手続の経緯
　特許第3202357号の発明に係る出願は、平成4年11月11日に特許出願されたものであって、その発明の特許（請求項の数9）は平成13年6月22日に設定登録がなされ、平成13年8月27日に特許公報が発行され、平成14年2月27日に小塚浩からその特許（請求項1乃至9）について、平成14年2月26日に鈴木正和からその特許（請求項1乃至9）について、特許異議の申立がなされ、その後、その特許（請求項1乃至9）について期間を指定して平成14年4月24日付で取消しの理由が通知され、その指定期間内である平成14年7月9日に訂正請求がなされたものである。
　
【2】  訂正の適否についての判断
（1）訂正の内容
訂正事項ａ．
（ａ-1）、特許請求の範囲の請求項1の「第2の制御手段とを備えることを特徴とする像形成装置」を「第2の制御手段とを備える像形成装置であって、前記像形成装置の周囲一壁面に、前記記憶媒体を挿入するための挿入口が前記記憶媒体を挿入できる態様で設けられていることを特徴とする像形成装置」と訂正する。
（ａ-2）、特許請求の範囲の請求項2の「第2の制御手段とを備えることを特徴とする像形成装置」を「第2の制御手段とを備える像形成装置であって、外部から印刷情報データを受け取るためのケーブル接続手段を有しないことを特徴とする像形成装置」と訂正する。
（ａ-3）、特許請求の範囲の請求項5の「格納する装置筐体をさらに備えることを特徴とする」を「収納する装置筐体をさらに備え、かつ、前記装置筐体の一壁面であって、用紙搬送部材の用紙の幅範囲の外側に前記挿入口が設けられていることを特徴とする」と訂正する。
（ａ-4）、特許請求の範囲の請求項6ないし9を削除する。
（ａ-5）、特許公報第2頁右欄第41行「第2の制御手段を備える。」を「第2の制御手段とを備える構成を採るときにあつて、像形成装置の周囲一壁面に、前記記憶媒体を挿入するための挿入口が前記記憶媒体を挿入できる態様で設けられているように構成される。」と訂正する。
（ａ-6）、特許公報第3頁左欄第2行「第2の制御手段とを備える。」を「第2の制御手段とを備える構成を採るときにあって、外部から印刷データを受け取るためのケーブル接続手段を有しないように構成される。」と訂正する。
（ａ-7）、特許公報第3頁左欄第9〜38行「格納する装置筐体をさらに備えることがある。一方、・・・・備えることがある。」を「収納する装置筐体をさらに備えるとともに、その装置筐体の一壁面であって、用紙搬送部材の用紙の幅範囲の外側に前記挿入口が設けられるように構成されることがある。」と訂正する。
訂正事項ｂ．
発明の名称である「像形成装置およびこの装置のための制御装置」を「像形成装置」と訂正する。
訂正事項ｃ．
【0001】 の「像形成装置と、その像形成装置のための制御装置に関する。」を「像形成装置に関する。」と訂正する。
訂正事項ｄ．
【0007】 の「像形成装置の提供と、その像形成装置のための新たな制御装置の提供とを目的とする。」を「像形成装置の提供を目的とする。」と訂正する。
　
（2）訂正の目的の適否、新規事項の有無及び拡張・変更の存否
上記訂正事項（ａ-1）（ａ-3）は、いずれも、記憶媒体が読取可能に配置される像形成装置を限定する事項であって、第2図及び特許公報第3頁右欄第24〜25行に記載されているから、特許請求の範囲の減縮を目的とした明細書の訂正に該当し、上記訂正事項（ａ-2）は、記憶媒体の挿入により印刷を開始する像形成装置を限定する事項であって、明細書の【0014】 に記載されているから、特許請求の範囲の減縮を目的とした明細書の訂正に該当し、上記訂正事項（ａ-4）は特許請求の範囲の請求項の削除であるから、特許請求の範囲の減縮を目的とした明細書の訂正に該当する。さらに、上記訂正事項（ａ-5）（ａ-7）は上記訂正事項（ａ-1）（ａ-3）と、上記訂正事項（ａ-6）は上記訂正事項（ａ-2）と、上記訂正事項ｂ．ｃ．ｄ．は上記訂正事項（ａ-4）と、それぞれ整合を図るためのものであるから、明りょうでない記載の釈明を目的とした明細書の訂正に該当し、いずれも、新規事項には該当せず、実質的に特許請求の範囲を拡張又は変更するものではない。
　
（3）むすび
　以上のとおり、上記訂正は、特許法等の一部を改正する法律（平成6年法律第116号）附則第6条第1項の規定によりなお従前の例によるとされる、特許法第120条の4第3項において準用する平成6年法律第116号による改正前の特許法第126条第1項ただし書き、及び第2項の規定に適合するので、当該訂正を認める。
　
　
【3】  特許異議の申立てについての判断
（1）本件発明
　上記【2】 のとおり訂正が認められるから、本件の請求項1乃至5に係る発明 （以下、「本件発明1」、「本件発明2」、「本件発明3」、「本件発明4」、「本件発明5」という。）は、上記訂正に係る訂正明細書の特許請求の範囲の請求項1乃至5に記載された以下のとおりのものである。
 「【請求項１】　印刷媒体へ印刷を行うための印刷機構と、
　記憶媒体に格納された印刷情報データを読み取るためのデータ読取装置と、
　前記記憶媒体が前記データ読取装置へ読取可能に配置されたことに応じて、前記データ読取装置による前記記憶媒体に格納された印刷情報データの読み取り動作を開始せしめるように制御する第１の制御手段と、
　前記印刷機構に、前記読み取った印刷情報データに応じた印刷処理を実行せしめる第2の制御手段とを備える像形成装置であって、
　前記像形成装置の周囲一壁面に、前記記憶媒体を挿入するための挿入口が前記記憶媒体を挿入できる態様で設けられている
　ことを特徴とする像形成装置。
　　【請求項２】　印刷媒体へ印刷を行うための印刷機構と、
　記憶媒体に格納された印刷情報データを読み取るためのデータ読取装置と、
　データ格納装置と、
　前記記憶媒体が前記データ読取装置へ読取可能に配置されたことに応じて、前記データ読取装置による前記記憶媒体に格納された印刷情報データの読み取り動作を開始せしめるように制御するとともに、前記データ格納装置へ当該印刷情報データを格納せしめるように制御する第１の制御手段と、
　前記印刷機構に、前記データ格納装置に格納された印刷情報データに応じた印刷処理を実行せしめる第2の制御手段とを備える像形成装置であって、
　外部から印刷情報データを受け取るためのケーブル接続手段を有しない
　ことを特徴とする像形成装置。
　　【請求項３】　前記データ格納装置に格納される印刷情報データはビットマップ形式である
　ことを特徴とする請求項２記載の像形成装置。
　　【請求項４】　前記第２の制御手段は、前記第１の制御手段による前記印刷情報データの読み取り制御に応じて、前記印刷機構に、当該印刷情報データの印刷処理を実行せしめるものである
　ことを特徴とする請求項１〜３記載の像形成装置。
　　【請求項５】　前記印刷機構、データ読取装置、第１の制御手段および第２の制御手段を収納する装置筐体をさらに備え、
　かつ、前記装置筐体の一壁面であって、用紙搬送部材の用紙の幅範囲の外側に前記挿入口が設けられている
　ことを特徴とする請求項１記載の像形成装置。」
　
（2）引用刊行物に記載された発明
　当審が平成14年4月24日付で通知した取消しの理由で引用した刊行物1（特開平4-201278号公報）には、概要、以下のような事項が記載されている。
「プリンタに記憶媒体を装着し、記憶媒体に記憶された印字ドットイメージデータを読み取る手段と、読み取られた印字ドットイメージデータを記憶する印字バッファ（本件のデータ格納装置に相当する。）を備え、印字バッファに記憶された印字ドットイメージデータにより、印字を実行する（特許請求の範囲及び実施例、第3頁）プリンタシステム」
　また、刊行物2（特開平4-52161号公報）には、概要、以下のような事項が記載されている。
「ICカード（本件の記憶媒体に相当する。）に印刷したい情報が書き込まれる。
　ICカードをプリンタのカード挿入口にセットすると、メモリインターフェイス5内のセンサでカード挿入が検知され、その検知信号に応じて印刷処理が開始される。
　読み出されたデータは、必要に応じて作業用メモリ、データ伸長部、フォントメモリなどを介して処理され、画像メモリ9にドットパターン展開（本件のビットマップ形式に相当する。）し、プリンタエンジン7にて用紙に印刷するプリンタ。（実施例、第3頁〜第4頁右上欄）
　また、プリンタがケース（本件の筺体に相当する。）で覆われ、ケースにカード挿入口を形成すること（第3頁左上欄第20行〜同頁右上欄第2行）。」
　
（3）　対比・判断　
（3-1）本件発明1について
　本件発明1と刊行物1に記載された発明とを比べると、刊行物1に記載された「読み取る手段」、「プリンタシステム」は本件発明1の「読取手段」、「像形成装置」に相当するから、両者は
「印刷媒体へ印刷を行うための印刷機構と、
　記憶媒体に格納された印刷情報データを読み取るためのデータ読取装置と、
　前記記憶媒体が前記データ読取装置へ読取可能に配置されたことに応じて、前記データ読取装置による前記記憶媒体に格納された印刷情報データの読み取り動作を開始と、
　前記印刷機構に、前記読み取った印刷情報データに応じた印刷処理を実行せしめる像形成装置。」である点で一致し、次の点で相違する。
（イ）本件発明1のものが、記憶媒体がデータ読み取り装置へ読み取り可能に配置されたことに応じて読み取り動作を開始せしめるように制御する第1の制御手段を有し、かつ、読み取った印刷情報データに応じて印刷処理を実行せしめる第2の制御手段を有するのに対し、刊行物1に記載された発明には第1、第2の制御手段として明示されていない点、
（ロ） 本件発明1のものが像形成装置の周囲一壁面に、記憶媒体の挿入口を、記憶媒体を挿入できる態様で設けるのに対して、刊行物1に記載された発明では記憶媒体を像形成装置に装着するとした点、
　次に、この相違点について検討する。
相違点（イ）について、刊行物1に記載の発明では印刷情報を読み取ってから、印字を実行しており、また、刊行物2に記載の発明ではＩＣカードをプリンタのカード挿入口にセットするとカード挿入が検知され、その検知信号に応じて印刷処理が実行されていることから、本件発明1のようにデータを格納することなくこれらの処理を行う第1の制御手段及び第2の制御手段として構成することに格別困難性を要しないものと認められる。
相違点（ロ）について、刊行物2にはICカード（本件発明1の記憶媒体に相当する。）をプリンタ（本件発明1の像形成装置に相当する。）のカード挿入口にセットすることが記載されており、装置の周囲に記憶媒体の挿入口を形成することは慣用技術であるから、記憶媒体の挿入口の位置を装置の周囲一壁面とし、記憶媒体を挿入できる態様にしておくことに格別困難性を要しないものと認められる。
　したがつて、本件発明1は刊行物1、2に記載された発明に基づいて当業者が容易に発明できたものと認められる。
　
（3-2）本件発明2について
　本件発明2と刊行物1に記載された発明とを比べると、刊行物1に記載された「読み取る手段」、「プリンタシステム」、「印字バッファ」は本件発明1の「読取手段」、「像形成装置」「データ格納装置」に相当するから、両者は
「印刷媒体へ印刷を行うための印刷機構と、
　記憶媒体に格納された印刷情報データを読み取るためのデータ読取装置と、
　データ格納装置と
　前記記憶媒体が前記データ読取装置へ読取可能に配置されたことに応じて、前記データ読取装置による前記記憶媒体に格納された印刷情報データの読み取り動作を開始とともに前記データ格納装置へ当該印刷情報データを格納せしめ、
　前記印刷機構に、前記データ格納装置に格納された印刷情報データに応じた印刷処理を実行せしめる像形成装置。」である点で一致し、次の点で相違する。
（ハ）本件発明2のものが、記憶媒体がデータ読み取り装置へ読み取り可能に配置されたことに応じて読み取り動作を開始せしめるように制御するとともに、前記データ格納装置へ当該印刷情報データを格納せしめるように制御する第1の制御手段を有し、かつ、データ格納装置に格納された印刷情報データに応じた印刷処理を実行せしめる第2の制御手段を有するのに対し、刊行物1に記載された発明には第1の制御手段及び第2の制御手段として明示されていない点、
（ニ）本件発明2のものが、像形成装置が外部から印刷データを受け取るためのケーブル接続手段を有しないとするのに対して、刊行物1に記載された発明では明示されていない点、
　次に、この相違点について検討する。
相違点（ハ）について、上記（イ）と同じく、この相違点は格別困難性を要しないものと認められる。
相違点（ニ）について、刊行物2に記載の発明においても、印刷データは記憶媒体によりプリンタのカード挿入口から供給されるものであり、印刷データを受け取るためのケーブルと接続する必要はないものであるから、本件発明2のように構成することは、当業者が適宜なしうる事項と認められる。
　したがって、本件発明2は刊行物1、2に記載された発明に基づいて当業者が容易に発明できたものと認められる。
　
（3-3）本件発明3について
　本件発明3は本件発明2を引用し、さらに、データ格納装置に格納される印刷情報データがビットマップ形式（ドットパターン形式）である構成を付加しているが、この付加された構成は刊行物1に記載された事項であり、本件発明2と同様の理由により格別困難性を要しないものと認められる。
　したがって、本件発明3は刊行物1、2に記載された発明に基づいて当業者が容易に発明できたものと認められる。
　
（3-4）本件発明4について
　本件発明4は本件発明1〜3を引用し、さらに、第2の制御手段が、第1の制御手段による印刷情報データの読み取り制御に応じて、印刷処理を実行せしめるものであることを付加しているが、刊行物2には印刷情報を読み取ってから印字を実行することが記載されているから、第1の制御手段の読み取り制御に応じて印刷の実行を行う第2の制御手段を設けることに格別困難性を要しないものと認められる。
　したがって、本件発明4は刊行物1、2に記載された発明に基づいて当業者が容易に発明できたものと認められる。
　
（3-5）本件発明5について
　本件発明5は本件発明1を引用し、さらに、印刷機構、データ読取装置等を格納する装置筐体を備えること、及び、記憶媒体の挿入口が装置筐体の一側面で用紙の幅範囲の外側に設けることを付加しているが、刊行物2にはプリンタにプリンタエンジン（印刷機構）、メモリインタフェース（データ読取装置）などが収納されるケース（筐体に相当する。）を備えることが記載されており、また、装置筐体へのメモリインタフェース（データ読取装置）の配置は使用状態等を考慮して当業者が適宜に定める設計上の事項であるから、記憶媒体の挿入口を装置筐体の一壁面で用紙の搬送部材の用紙の幅範囲の外側とすることは当業者が適宜なしうる事項と認められる。
　したがって、本件発明5は刊行物1、2に記載された発明に基づいて当業者が容易に発明できたものと認められる。
　
（4）むすび
　以上のとおりであるから、本件発明1乃至5は上記刊行物1、2に記載された発明に基づいて当業者が容易に発明をすることができたものであるから、本件発明1乃至5についての特許は、特許法第29条第2項の規定に違反してなされたものである。
　したがって、本件発明1乃至5についての特許は、特許法第113条第2号に該当し、取り消されるべきものである。
　よって、結論のとおり決定する。
【異議決定日】
平成１４年９月１７日（２００２．９．１７）
【訂正の要旨】
（１）訂正の要旨
　本願を次のとおり訂正する。
（２）訂正事項
　（ａ）特許請求の範囲の請求項１ないし５を、
　「印刷媒体へ印刷を行うための印刷機構と、
　記憶媒体に格納された印刷情報データを読み取るためのデータ読取装置と、
　前記記憶媒体が前記データ読取装置へ読取可能に配置されたことに応じて、前記データ読取装置による前記記憶媒体に格納された印刷情報データの読み取り動作を開始せしめるように制御する第１の制御手段と、
　前記印刷機構に、前記読み取った印刷情報データに応じた印刷処理を実行せしめる第２の制御手段とを備える像形成装置であって、
　前記像形成装置の周囲一壁面に、前記記憶媒体を挿入するための挿入口が前記記憶媒体を挿入できる態様で設けられている
　ことを特徴とする像形成装置。
　【請求項２】印刷媒体へ印刷を行うための印刷機構と、
　記憶媒体に格納された印刷情報データを読み取るためのデータ読取装置と、
　データ格納装置と、
　前記記憶媒体が前記データ読取装置へ読取可能に配置されたことに応じて、前記データ読取装置による前記記憶媒体に格納された印刷情報データの読み取り動作を開始せしめるように制御するとともに、前記データ格納装置へ当該印刷情報データを格納せしめるように制御する第１の制御手段と、
　前記印刷機構に、前記データ格納装置に格納された印刷情報データに応じた印刷処理を実行せしめる第２の制御手段とを備える像形成装置であって、
　外部から印刷情報データを受け取るためのケーブル接続手段を有しない
　ことを特徴とする像形成装置。
　【請求頃３】前記データ格納装置に格納される印刷情報データはビットマップ形式である
　ことを特徴とする請求頃２記載の像形成装置。
　【請求項４】前記第２の制御手段は、前記第１の制御手段による前記印刷情報データの読み取り制御に応じて、前記印刷機構に、当該印刷情報データの印刷処理を実行せしめるものである
　ことを特徴とする請求項１〜３記載の像形成装置。
　【請求頃５】前記印刷機構、データ読取装置、第１の制御手段および第２の制御手段を収納する装置筐体をさらに備え、
　かつ、前記装置筐体の一壁面であって、用紙搬送部材の用紙の幅範囲の外側に前記挿入口が設けられている
　ことを特徴とする請求項１記載の像形成装置。」
と訂正するとともに、特許請求の範囲の請求項６ないし９を削除する。
　これに伴い、特許請求の範囲の記載と発明の詳細な説明の記載との整合をとるために、明細書の段落〔０００８〕を、明瞭でない記載の釈明を目的として、
「【０００８】
　【課題を解決するための手段】
　この目的を達成するために、本発明の像形成装置では、印刷媒体へ印刷を行うための印刷機構と、記憶媒体に格納された印刷情報データを読み取るためのデータ読取装置と、前記記憶媒体が前記データ読取装置へ読取可能に配置されたことに応じて、前記データ読取装置による前記記憶媒体に格納された印刷情報データの読み取り動作を開始せしめるように制御する第１の制御手段と、前記印刷機構に、前記読み取った印刷情報データに応じた印刷処理を実行せしめる第２の制御手段とを備える構成を採るときにあって、像形成装置の周囲一壁面に、前記記憶媒体を挿入するための挿入口が前記記憶媒体を挿入できる態様で設けられているように構成される。
　また、この目的を達成するために、本発明の像形成装置では、印刷媒体へ印刷を行うための印刷機構と、記憶媒体に格納された印刷情報データを読み取るためのデータ読取装置と、データ格納装置と、前記記憶媒体が前記データ読取装置へ読取可能に配置されたことに応じて、前記データ読取装置による前記記憶媒体に格納された印刷情報データの読み取り動作を開始せしめるように制御するとともに、前記データ格納装置へ当該印刷情報データを格納せしめるように制御する第１の制御手段と、前記印刷機構に、前記データ格納装置に格納された印刷情報データに応じた印刷処理を実行せしめる第２の制御手段とを備える構成を採るときにあって、外部から印刷情報データを受け取るためのケーブル接続手段を有しないように構成される。
このとき、前記データ格納装置に格納される印刷情報データはビットマップ形式のことがある。
　そして、前記第２の制御手段は、前記第１の制御手段による前記印刷情報データの読み取り制御に応じて、前記印刷機構に、当該印刷情報データの印刷処理を実行せしめることがある。
　そして、前記印刷機構、データ読取装置、第１の制御手段および第２の制御手段を収納する装置筐体をさらに備えるとともに、その装置筐体の一壁面であって、用紙搬送部材の用紙の幅範囲の外側に前記挿入口が設けられるように構成されることがある。」
と訂正する。
（ｂ）特許請求の範囲の請求項６ないし９を削除したことに対応させて、発明の名称を「像形成装置」と訂正する。
（ｃ）特許請求の範囲の記載と発明の詳細な説明の記載との整合をとるために、明細書の段落〔０００１〕を下記の通り訂正する。
「【０００１】
　【産業上の利用分野】
　本発明は、像形成装置に関する。」
（ｄ）特許請求の範囲の記載と発明の詳細な説明の記載との整合をとるために、明細書の段落〔０００７〕を下記の通り訂正する。
「【０００７】
　本発明はかかる事情に鑑みてなされたものであって、従来技術の有していた問題点の解決を実現する新たな像形成装置の提供を目的とする。」
（５４）【発明の名称】
像形成装
置
（５７）【特許請求の範囲】
　【請求項１】　印刷媒体へ印刷を行うための印刷機構と、
　記憶媒体に格納された印刷情報データを読み取るためのデータ読取装置と、
　前記記憶媒体が前記データ読取装置へ読取可能に配置されたことに応じて、前記データ読取装置による前記記憶媒体に格納された印刷情報データの読み取り動作を開始せしめるように制御する第１の制御手段と、
　前記印刷機構に、前記読み取った印刷情報データに応じた印刷処理を実行せしめる第２の制御手段
とを備える像形成装置であって、
　
前記像形成装置の周囲一壁面に、前記記憶媒体を挿入するための挿入口が前記記憶媒体を挿入できる態様で設けられている
　
こ
　【請求項２】　印刷媒体へ印刷を行うための印刷機構と、
　記憶媒体に格納された印刷情報データを読み取るためのデータ読取装置と、
　データ格納装置と、
　前記記憶媒体が前記データ読取装置へ読取可能に配置されたことに応じて、前記データ読取装置による前記記憶媒体に格納された印刷情報データの読み取り動作を開始せしめるように制御するとともに、前記データ格納装置へ当該印刷情報データを格納せしめるように制御する第１の制御手段と、
　前記印刷機構に、前記データ格納装置に格納された印刷情報データに応じた印刷処理を実行せしめる第２の制御手段
とを備える像形成装置であって、
　
外部から印刷情報データを受け取るためのケーブル接続手段を有しない
　
こ
　【請求項３】　前記データ格納装置に格納される印刷情報データはビットマップ形式である
　ことを特徴とする請求項２記載の像形成装置。
　【請求項４】　前記第２の制御手段は、前記第１の制御手段による前記印刷情報データの読み取り制御に応じて、前記印刷機構に、当該印刷情報データの印刷処理を実行せしめるものである
　ことを特徴とする請求項１〜３記載の像形成装置。
　【請求項５】　前記印刷機構、データ読取装置、第１の制御手段および第２の制御手段を
収納
え、
　
かつ、前記装置筐体の一壁面であって、用紙搬送部材の用紙の幅範囲の外側に前記挿入口が設けられている
　
こ
【発明の詳細な説明】
　【０００１】
　【産業上の利用分野】
　本発明は、像形成装
置に
　【０００２】
　【従来の技術】
　パーソナルコンピュータ等の情報処理装置では、プリンタを備える構成を採って、このプリンタにデータを印刷していくよう処理することになる。
　【０００３】
　この印刷処理を実現するために、従来では、情報処理装置とプリンタとの間をケーブルで接続する構成を採って、情報処理装置が、このケーブルを介して印刷データをプリンタに伝送するという方法を採っていた。
　【０００４】
　【発明が解決しようとする課題】
　しかしながら、このような従来技術に従っていると、ケーブルを用いなくてはならないことから、システムが煩雑になるとともに、情報処理装置とプリンタとを近い位置に配置しなければならないという問題点がある。そして、ケーブルの誤接続の危険性があるという問題点もある。
　【０００５】
　このような従来技術の問題点を解決するために、情報処理装置がプリンタを内蔵していく構成を採ることがある。しかしながら、このような構成に従うと、ユーザの要求する様々なプリンタ性能に対して、簡単に対処することができないという問題点がある。
　【０００６】
　また、このような従来技術の問題点を解決する別の方法として、ケーブルを削除する構成を採って、情報処理装置が、プリンタに対して、電磁波を用いて印刷データを伝送していくという方法を採ることが考えられる。しかしながら、このような方法を採ると、印刷データのデータ量は膨大になることから、実用性に欠けるとともに、プリンタに受信機能を付加していく必要があることから、プリンタのローコスト化を実現できないという問題点がある。
　【０００７】
　本発明はかかる事情に鑑みてなされたものであって、従来技術の有していた問題点の解決を実現する新たな像形成装置の提
供を
　【０００８】
　【課題を解決するための手段】
　この目的を達成するために、本発明の像形成装置では、印刷媒体へ印刷を行うための印刷機構と、記憶媒体に格納された印刷情報データを読み取るためのデータ読取装置と、前記記憶媒体が前記データ読取装置へ読取可能に配置されたことに応じて、前記データ読取装置による前記記憶媒体に格納された印刷情報データの読み取り動作を開始せしめるように制御する第１の制御手段と、前記印刷機構に、前記読み取った印刷情報データに応じた印刷処理を実行せしめる第２の制御手段とを備え
る構成を採るときにあって、像形成装置の周囲一壁面に、前記記憶媒体を挿入するための挿入口が前記記憶媒体を挿入できる態様で設けられているように構成される。
　また、この目的を達成するために、本発明の像形成装置では、印刷媒体へ印刷を行うための印刷機構と、記憶媒体に格納された印刷情報データを読み取るためのデータ読取装置と、データ格納装置と、前記記憶媒体が前記データ読取装置へ読取可能に配置されたことに応じて、前記データ読取装置による前記記憶媒体に格納された印刷情報データの読み取り動作を開始せしめるように制御するとともに、前記データ格納装置へ当該印刷情報データを格納せしめるように制御する第１の制御手段と、前記印刷機構に、前記データ格納装置に格納された印刷情報データに応じた印刷処理を実行せしめる第２の制御手段とを備え
る構成を採るときにあって、外部から印刷情報データを受け取るためのケーブル接続手段を有しないように構成される。
　このとき、前記データ格納装置に格納される印刷情報データはビットマップ形式のことがある。
　そして、前記第２の制御手段は、前記第１の制御手段による前記印刷情報データの読み取り制御に応じて、前記印刷機構に、当該印刷情報データの印刷処理を実行せしめることがある。
　そして、前記印刷機構、データ読取装置、第１の制御手段および第２の制御手段を
収納
るとともに、その装置筐体の一壁面であって、用紙搬送部材の用紙の幅範囲の外側に前記挿入口が設けられるように構成されるこ
　【０００９】
　【００１０】
　【００１１】
　【００１２】
　【００１３】
　【実施例】
　以下、実施例に従って本発明を詳細に説明する。
　先ず最初に、図１に従って本発明の原理構成的な実施例について説明する。
　図中、１は本発明により構成されるプリンタである。このプリンタ１は、図に示すように、外部からの印刷データを受け取るケーブル接続手段を備えることがない。
　２はプリンタ１に着脱自在に装着されて、図示しない情報処理装置の作成する印刷データを記録するフロッピーディスクやＩＣカードメモリ等のような記憶媒体である。この記憶媒体２は、イメージデータ展開形式に従って印刷データを記録することがある。
　３はプリンタ１の備える記憶媒体装着手段、４はプリンタ１の備えるデータ読取手段（上述した第１の制御手段に相当するもの）、５はプリンタ１の備える印刷制御手段（上述した第２の制御手段に相当するもの）、６はプリンタ１の備える印刷機構手段である。
　このように構成される本発明のプリンタ１では、記憶媒体装着手段３が、情報処理装置の作成する印刷データを記録する記憶媒体２を装着すると、データ読取手段４は、装着された記憶媒体２の記録する印刷データを読み取る。
　そして、印刷制御手段５は、印刷機構手段６を制御することで、この読み取られた印刷データの印刷処理を実行する。
　このように、本発明に従うプリンタ１は、外部とのデータ授受のためのケーブル接続手段を備えずに、情報処理装置の作成する印刷データを印刷することが可能になる。しかも、本発明のプリンタ１は、新たに受信機能を備えていくといったようなこともなく、更に、記憶媒体２がイメージデータ展開形式に従って印刷データを記録するときには、キャラクタジェネレータも備える必要がないことから、従来よりもローコストにできるのである。
　次に、具体的な実施例に従って本発明を詳細に説明する。
　図２に、本発明により構成されるプリンタ１の外観図を図示する。図中、１０はプリンタ１の備えるフロッピーディスク挿入口であって、フロッピーディスクの挿入口となるものである。このフロッピーディスク挿入口１０に挿入されるフロッピーディスクには、情報処理装置の作成する印刷データが好ましくはイメージデータ展開形式に従って記録されることになる。
　【００１４】
　この図２に示すように、本発明により構成されるプリンタ１は、外部とのデータ授受のためのケーブル接続手段を一切備えない構成を採ることを特徴としている。但し、電源として乾電池を用いない場合には、電源ケーブルを備えることがある。
　【００１５】
　図３に、本発明のプリンタ１のハードウェア構成を図示する。図中、２０はＣＰＵ、２１はＲＯＭ、２２はＲＡＭ、２３はメカコントローラ、２４は印字メカ、２５はフロッピーディスク挿入口１０から挿入されるフロッピーディスクをドライブするＦＤＤ、２６はＦＤＤ２５をコントロールするＦＤＣである。ここで、この構成にあって、フロッピーディスク挿入口１０に挿入されるフロッピーディスクがイメージデータ展開形式（ビットイメージの展開形式）でもって印刷データを記録するときには、コードデータ展開形式で記録するときに必要となるキャラクタジェネレータを備える必要はない。
　【００１６】
　図４に、本発明のプリンタ１の機能ブロック構成を図示する。この図に示すように、本発明のプリンターは、機能的には、ＦＤＤ部３０と、ＦＤ読取部３１と、メモリ部３２と、印字メカ部３３と、メカコントロール部３４とを備える。
　【００１７】
　この機能構成を採ることで、本発明のプリンタ１は、フロッピーディスク挿入口１０に印刷データを記録したフロッピーディスクが挿入されると、ＦＤＤ部３０が、この挿入されるフロッピーディスクをドライブし、ＦＤ読取部３１が、メモリ部３２に一時的に展開しつつ、このドライブされるフロッピーディスクの記録するイメージデータ展開形式の印刷データを読み取り、メカコントロール部３４が、印字メカ部３３を制御してＦＤ読取部３１により読み取られた印刷データの印刷処理を実行していくよう動作する。
　【００１８】
　このようにして、本発明のプリンタ１は、情報処理装置の作成した印刷データの印刷処理を実行するのである。
　本発明のプリンタ１と、従来のプリンタとの構成上の違いを明確にするために、図５に、従来のプリンタのハードウェア構成、図６に、従来のプリンタの機能ブロック構成を図示する。
　【００１９】
　図５中、図３で説明したものと同じものについては同一の記号で示してあり、２７はキャラクタジェネレータとなるＲＯＭ、２８は情報処理装置から伝送されてくるコードデータ展開形式の印刷データを受け取るパラレルインタフェースである。
　【００２０】
　また、図６中、図４で説明したものと同じものについては同一の記号で示してあり、３５は情報処理装置から伝送されてくる印刷データを受信する受信部、３６は受信部３５の受信した印刷データを一時的に格納するメモリ部、３７はコードデータとイメージデータとの対応関係を管理する文字フォント部、３８は受信部３５の受信した印刷データを文字フォント部３７を参照してビットイメージに展開するビットイメージ展開部、３９はビットイメージ展開部３８の展開するビットイメージを一時的に格納する展開バッファ部である。
　【００２１】
　このように、図３／図４と、図５／図６とを比較すれば分かるように、本発明のプリンタ１は、ハードウェア構成的に見ても、機能ブロック構成的にみても従来のプリンタよりも簡単な構成となるのである。
　【００２２】
　【発明の効果】
　以上説明したように、本発明によれば、外部とのデータ授受のためのケーブル接続手段を備えずに、情報処理装置の作成する印刷データを印刷することが可能になる。しかも、本発明によれば、新たに受信機能を備えていくといったようなこともなく、更に、キャラクタジェネレータも備えない構成を採ることも可能であることから、従来のプリンタよりもローコストにできるのである。
【図面の簡単な説明】
　【図１】
　本発明の原理構成的な実施例である。
　【図２】
　本発明により構成されるプリンタの外観図である。
　【図３】
　本発明のプリンタのハードウェア構成図である。
　【図４】
　本発明のプリンタの機能ブロック構成図である。
　【図５】
　従来のプリンタのハードウェア構成図である。
　【図６】
　従来のプリンタの機能ブロック構成図である。
　【符号の説明】
　１　プリンタ
　２　記憶媒体
　３　記憶媒体装着手段
　４　データ読取手段
　５　印刷制御手段
　６　印刷機構手段